(57)【要約】【課題】インテリアのアイテム情報はその都度リンク接続されている各メーカに参照に行く必要があり、インテリアプランを自動的に検索し選択することはできない。【解決手段】利用者端末１０メーカ端末２０インテリアコーディネータ端末３０インテリアプランニング処理装置４０および金融機関５０が各々インターネット１００を介して接続しインテリアコーディネータが作成したプランをシステムのデータベースに格納し顧客の希望に沿うものを自動的に提案し購入希望者は最初に購入希望情報を入力するだけでシステム側のインテリア選定装置が入力された情報をマトリックスに当てはめ該当するアイテムを多く用いてあるインテリアプランを自動検索し、インテリアプランを選択し、顧客の嗜好に合ったアイテムを多数用いたインテリアコーディネータが作成したプランを提供することにある。【選択図】      図１
2005190000.tif 000002
【特許請求の範囲】
【請求項１】
インテリアプランニングシステムは、利用者端末、メーカ端末、インテリアコーディネータ端末、インテリアプランニング処理装置、金融機関、およびインターネットを備え、各々がインターネットを介して接続し、メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行うことを特徴とするインテリアプランニングシステム。
【請求項２】
利用者端末、メーカ端末、インテリアコーディネータ端末、インテリアプランニング処理装置、金融機関、およびインターネットを備え、各々がインターネットを介して接続したインテリアプランニングシステムにおけるインテリアプランニングの方法であって、メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行うことを特徴とするインテリアプランニングの方法。
【請求項３】
利用者端末、メーカ端末、インテリアコーディネータ端末、インテリアプランニング処理装置、金融機関、およびインターネットを備え、各々がインターネットを介して接続したインテリアプランニングシステムにおけるインテリアプランニング処理において、メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行う処理をコンピュータに実行させるインテリアプランニングプログラム。
【請求項４】
インテリアプランニングシステムは、利用者端末、メーカ端末、インテリアコーディネータ端末、インテリアプランニング処理装置、金融機関、およびインターネットを備え、各々がインターネットを介して接続し、
インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
制御処理部は、利用者端末からのインテリア商品購入に係わる希望項目入力表に基づいて利用者端末から入力された購入希望情報をインテリア選定処理部へ送り、インテリア選定処理部はインテリア商品購入に係わる希望項目入力表に基づいてインテリアコーディネータの作成したマトリックスを使用し、利用者の購入希望情報に合ったインテリア商品を算出、選定し、算出、選定された結果を基に希望情報との適合率の高い順に順位をつけて、複数の提案インテリアプランを利用者端末へ送付する機能を備え、
また、制御処理部は利用者端末からの購入要求に対して、利用者端末に対して確認通知および請求書の送付を行う機能と、該当メーカ端末に対して発注行為を行う機能を備え、
アイテムＤＢは、メーカ端末から登録されたアイテム情報が保存されているデータベースであり、
契約インテリアコーディネータＤＢはアイテムＤＢに登録されたアイテム情報の送付先となるインテリアコーディネータの情報を格納してあるデータベースであり、
また、報酬を支払う場合の各インテリアコーディネータの指定口座番号の情報も有し、
インテリアプランＤＢはインテリア選定処理部が制御処理部からの購入希望条件が提示された場合に検索するためのデータベースであり、アイテム、設置場所、好みのキーワードおよび前提条件から構成され、
インテリア選定処理部は制御処理部から送られる利用者端末からの購入希望情報から、マトリックスを使用し、利用者の嗜好をマトリックスに当てはめ、該当するアイテムを多く用いているインテリアプランをインテリアプランＤＢから抽出する機能を備え、
インテリアコーディネータ報酬処理部は利用者が実際にアイテムを購入した場合に、採用されたプランを作成したコーディネーに自動的に成約金額に応じた報酬として、予め契約インテリアコーディネータＤＢに登録されている金融機関に振り込まれる機能を備え、
メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行うことを特徴とするインテリアプランニングシステム。
【請求項５】
利用者端末、メーカ端末、インテリアコーディネータ端末、インテリアプランニング処理装置、金融機関、およびインターネットを備え、各々がインターネットを介して接続したインテリアプランニングシステムにおけるインテリアプランニングの方法であって、
インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
制御処理部は、利用者端末からのインテリア商品購入に係わる希望項目入力表に基づいて利用者端末から入力された購入希望情報をインテリア選定処理部へ送り、インテリア選定処理部はインテリア商品購入に係わる希望項目入力表に基づいてインテリアコーディネータの作成したマトリックスを使用し、利用者の購入希望情報に合ったインテリア商品を算出、選定し、算出、選定された結果を基に希望情報との適合率の高い順に順位をつけて、複数の提案インテリアプランを利用者端末へ送付する機能を備え、
また、制御処理部は利用者端末からの購入要求に対して、利用者端末に対して確認通知および請求書の送付を行う機能と、該当メーカ端末に対して発注行為を行う機能を備え、
アイテムＤＢは、メーカ端末から登録されたアイテム情報が保存されているデータベースであり、
契約インテリアコーディネータＤＢはアイテムＤＢに登録されたアイテム情報の送付先となるインテリアコーディネータの情報を格納してあるデータベースであり、
また、報酬を支払う場合の各インテリアコーディネータの指定口座番号の情報も有し、
インテリアプランＤＢはインテリア選定処理部が制御処理部からの購入希望条件が提示された場合に検索するためのデータベースであり、アイテム、設置場所、好みのキーワードおよび前提条件から構成され、
インテリア選定処理部は制御処理部から送られる利用者端末からの購入希望情報から、マトリックスを使用し、利用者の嗜好をマトリックスに当てはめ、該当するアイテムを多く用いているインテリアプランをインテリアプランＤＢから抽出する機能を備え、
インテリアコーディネータ報酬処理部は利用者が実際にアイテムを購入した場合に、採用されたプランを作成したコーディネーに自動的に成約金額に応じた報酬として、予め契約インテリアコーディネータＤＢに登録されている金融機関に振り込まれる機能を備え、
メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行うことを特徴とするインテリアプランニングの方法。
【請求項６】
利用者端末、メーカ端末、インテリアコーディネータ端末、インテリアプランニング処理装置、金融機関、およびインターネットを備え、各々がインターネットを介して接続したインテリアプランニングシステムにおけるインテリアプランニング処理において、
インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
制御処理部は、利用者端末からのインテリア商品購入に係わる希望項目入力表に基づいて利用者端末から入力された購入希望情報をインテリア選定処理部へ送り、インテリア選定処理部はインテリア商品購入に係わる希望項目入力表に基づいてインテリアコーディネータの作成したマトリックスを使用し、利用者の購入希望情報に合ったインテリア商品を算出、選定し、算出、選定された結果を基に希望情報との適合率の高い順に順位をつけて、複数の提案インテリアプランを利用者端末へ送付する機能を備え、
また、制御処理部は利用者端末からの購入要求に対して、利用者端末に対して確認通知および請求書の送付を行う機能と、該当メーカ端末に対して発注行為を行う機能を備え、
アイテムＤＢは、メーカ端末から登録されたアイテム情報が保存されているデータベースであり、
契約インテリアコーディネータＤＢはアイテムＤＢに登録されたアイテム情報の送付先となるインテリアコーディネータの情報を格納してあるデータベースであり、
また、報酬を支払う場合の各インテリアコーディネータの指定口座番号の情報も有し、
インテリアプランＤＢはインテリア選定処理部が制御処理部からの購入希望条件が提示された場合に検索するためのデータベースであり、アイテム、設置場所、好みのキーワードおよび前提条件から構成され、
インテリア選定処理部は制御処理部から送られる利用者端末からの購入希望情報から、マトリックスを使用し、利用者の嗜好をマトリックスに当てはめ、該当するアイテムを多く用いているインテリアプランをインテリアプランＤＢから抽出する機能を備え、
インテリアコーディネータ報酬処理部は利用者が実際にアイテムを購入した場合に、採用されたプランを作成したコーディネーに自動的に成約金額に応じた報酬として、予め契約インテリアコーディネータＤＢに登録されている金融機関に振り込まれる機能を備え、
メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行う処理をコンピュータに実行させるインテリアプランニングプログラム。
【請求項７】
インテリアプランニングシステムは、利用者端末、メーカ端末、インテリアコーディネータ端末、インテリアプランニング処理装置、金融機関、およびインターネットを備え、各々がインターネットを介して接続し、
インテリアプランニング処理装置は利用者端末からのインテリア商品の購入希望要求に対して提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録し、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末は振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込むことを特徴とするインテリアプランニングシステム。
【請求項８】
利用者端末、メーカ端末、インテリアコーディネータ端末、インテリアプランニング処理装置、金融機関、およびインターネットを備え、各々がインターネットを介して接続したインテリアプランニングシステムにおけるインテリアプランニングの方法であって、インテリアプランニング処理装置は利用者端末からのインテリア商品の購入希望要求に対して提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録し、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末は振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込むことを特徴とするインテリアプランニングの方法。
【請求項９】
利用者端末、メーカ端末、インテリアコーディネータ端末、インテリアプランニング処理装置、金融機関、およびインターネットを備え、各々がインターネットを介して接続したインテリアプランニングシステムにおけるインテリアプランニング処理において、インテリアプランニング処理装置は利用者端末からのインテリア商品の購入希望要求に対して提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録し、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末は振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込む処理をコンピュータに実行させるインテリアプランニングプログラム。
【請求項１０】
インテリアプランニングシステムは、利用者端末、メーカ端末、インテリアコーディネータ端末、インテリアプランニング処理装置、金融機関、およびインターネットを備え、各々がインターネットを介して接続し、
インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録され、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用される、必要なアイテムを選択するためのアイテム項目数と、アイテムを設置する部屋を選択するための部屋種別項目数と、該当する人数を選択するための人数項目数と、そして住まいの家種別項目数と、の４種別の項目数の内の単独または複数組み合わせから展開されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込むことを特徴とするインテリアプランニングシステム。
【請求項１１】
利用者端末、メーカ端末、インテリアコーディネータ端末、インテリアプランニング処理装置、金融機関、およびインターネットを備え、各々がインターネットを介して接続したインテリアプランニングシステムにおけるインテリアプランニングの方法であって、インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録され、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用される、必要なアイテムを選択するためのアイテム項目数と、アイテムを設置する部屋を選択するための部屋種別項目数と、該当する人数を選択するための人数項目数と、そして住まいの家種別項目数と、の４種別の項目数の内の単独または複数組み合わせから展開されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込むことを特徴とするインテリアプランニングの方法。
【請求項１２】
利用者端末、メーカ端末、インテリアコーディネータ端末、インテリアプランニング処理装置、金融機関、およびインターネットを備え、各々がインターネットを介して接続したインテリアプランニングシステムにおけるインテリアプランニング処理において、インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録され、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用される、必要なアイテムを選択するためのアイテム項目数と、アイテムを設置する部屋を選択するための部屋種別項目数と、該当する人数を選択するための人数項目数と、そして住まいの家種別項目数と、の４種別の項目数の内の単独または複数組み合わせから展開されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込む処理をコンピュータに実行させるインテリアプランニングプログラム。
【発明の詳細な説明】
【技術分野】
【０００１】
本発明はインテリアプランニングシステムとインテリアプランニングの方法およびインテリアプランニングプログラムに関し、特にインテリアを構成する様々な要素をマトリックス化して、その人の嗜好、予算を判断し、その人にとって最適なインテリアプランを提供できるインテリアプランニングシステムとインテリアプランニングの方法およびインテリアプランニングプログラムに関する。
【背景技術】
【０００２】
従来の技術として、特開２００１−３４４２９３号公報がある（特許文献１参照。）。
【０００３】
これは、コンピュータ双方向通信を通じて、依頼者の個性に適合したインテリアデザイン及びインテリアコーディネートとともに、インテリア用品の販売購入、代金決済を地域や依頼者を限定することなく容易かつ確実に行うものである。
【０００４】
携帯電話機又は小型汎用コンピュータ装置（依頼者側）が運営サイト通信システムにインテリアデザイン及びコーディネートを依頼するとともに、運営者側が依頼者側にインテリアデザイン及びコーディネートのための質問を実施し、かつ、依頼者側が質問に回答する。
【０００５】
さらに、運営者側が依頼者側の質問の回答に基づいたインテリアデザイン及びコーディネートに関する個性診断を実行し、かつ、この個性診断に対してインテリアデザイン及びコーディネートに関する依頼者側の要求を転送する。
【０００６】
そして、運営者側が個性診断における依頼者側の要求に対応した３次元シミュレーションによる立体的画像を含むコーデネーション提示を行う。
【０００７】
このインテリアデザイン及びコーディネートは、以下の様な問題を改善するものであります。
【０００８】
（１）インテリアコーデネータの経験のみと、主観的感性による供給側の視点に偏りがちな側面があり、デザイン及びコーディネートの一般化が進展していない。換言すれば、依頼者でのデザイン及びコーディネートの把握が容易に出来ないものであった。
【０００９】
（２）インテリアコーデネータと依頼者との打合せ場所や時間に制約がある。
【００１０】
（３）インテリアコーデネータによってデザイン及びコーディネートの価格がまちまちであり、不透明である。
【００１１】
（４）依頼者からインテリアデザインに関する依頼者の好みや、その対象室内の広さなどの聞き取り調査に手間がかかる。例えば、対象インテリア空間（室内）のインテリアコーデネータによる実地検証や、依頼者からの室内写真の手渡し、郵送による提供が必要となる。
【００１２】
（５）インテリアコーデネータ側での依頼者の個性に合わせたインテリアデザインの多くが手作業や一部のコンピュータ化のために手間がかかる。
【００１３】
（６）依頼するインテリアコーデネータが近くにいない場合が多く、その依頼が容易でない。
【００１４】
（７）インテリアコーデネータ側での市場展開が容易にできない。換言すれば、依頼者の存在が容易に判明しない。
【００１５】
（８）デザイン及びコーディネートにかかるインテリア用品の資料入手が、特定のメーカや販売業者に限定され易く、さらに、その購入や代金決済の手間が多大である。
【００１６】
このような従来の技術における課題を解決するものであり、コンピュータ双方向通信を通じて、人のカラー理論による依頼者の好みのカラー診断に基づいた屋内装飾設計を３次元シミュレーションによって立体的な画像で表示して、依頼者の個性に最適化（顧客重視）したインテリアデザイン及びインテリアコーディネートが地域や依頼者を限定することなく容易かつ確実に出来る、コンピュータ双方向通信によるインテリアデザインとコーディネートの提供取得方法及びその通信システム並びにプログラムの提供を目的とする。
【００１７】
このインテリアデザイン及びコーディネートは、コンピュータ双方向通信を通じて、インテリアデザイン及びインテリアコーディネートにかかるインテリア用品の販売及び購入とともに、その代金決済が地域や依頼者を限定することなく容易かつ確実に出来る、コンピュータ双方向通信によるインテリアデザインとコーディネートの提供取得方法及びその通信システム並びにプログラムの提供を他の目的とする。
【００１８】
上記課題を達成するために、このコンピュータ双方向通信によるインテリアデザインとコーディネートの提供取得方法は、コンピュータ双方向通信によって、運営者側が通信装置を通じて提供するインテリアデザイン及びコーディネートを依頼者側が通信装置を通じて取得するものであり、依頼者側が運営者側にインテリアデザイン及びコーディネートを依頼し、次に、運営者側が依頼者側にインテリアデザイン及びコーディネートのための質問を実施し、この後、依頼者側が運営者側からのインテリアデザイン及びコーディネートに関する質問に回答し、さらに、運営者側が依頼者側の質問の回答に基づいたインテリアデザイン及びコーディネートに関する個性診断を実行し、この運営者側の個性診断に対してインテリアデザイン及びコーディネートに関する依頼者側の要求を転送し、次に、運営者側が前記個性診断における依頼者側の要求に対応した３次元シミュレーションによる立体的画像を含む情報に基づいたインテリアデザイン及びコーディネート提示を依頼者側に行う、ことを特徴としている。
【００１９】
また、前記質問、回答、個性診断、要求、インテリアデザイン及びコーディネート提示の処理を、依頼者側の通信処理と運営者側のデータベースのトラッキング処理で自動的に実行することを特徴としている。
【００２０】
また、前記依頼者側の通信処理と運営者側のデータベース処理で自動的に実行する質問、回答、個性診断、要求、インテリアデザイン及びコーディネート提示の少なくとも一つにおいて、インテリア用品提供側、住宅関連業者側及びインテリアデザイン事業者を含む業者が通信装置を通じて提供する情報を、運営者側とのコンピュータ双方向通信のリンク接続によって依頼者側が取り込み、かつ、画面表示して参照することを特徴としている。
【００２１】
また、前記運営者側が依頼者側に実施する質問、個性診断、インテリアデザイン及びコーディネート提示の少なくとも一つが有料制の場合の代金決済を、ネット銀行を含む決済業者側の通信装置と依頼者側がコンピュータ双方向通信で実行することを特徴としている。
【００２２】
また、前記インテリアデザイン及びコーディネート提示の後に、この提示におけるインテリア用品の購入を、提供業者の通信装置と依頼者側との間でコンピュータ双方向通信を通じて実行することを特徴としている。
【００２３】
また、前記購入したインテリア用品の代金決済を、ネット銀行を含む決済業者側の通信装置と依頼者側がコンピュータ双方向通信で実行することを特徴としている。
【００２４】
また、前記インテリアデザイン及びコーディネート提示の後に、この提示に基づいた施工依頼を、インテリア用品の販売業者を含む施工業者の通信装置と、依頼者側又は運営側とがコンピュータ双方向通信を通じて実行することを特徴としている。
【００２５】
また、前記コーデネーションによる施工依頼に基づく代金決済を、ネット銀行を含む決済業者側の通信装置と依頼者側がコンピュータ双方向通信で実行することを特徴としている。
【００２６】
また、前記コンピュータ双方向通信によるインテリアデザインとコーディネートの提供取得方法として、運営者側が、インテリアを構成する壁、床を含む複数のインテリアエレメントの個々に識別符号を付与し、かつ、このインテリアエレメントごとの３次元シミュレーション画像データ及び当該識別符号に付随する関連データをデータベース化して予め格納するステップと、依頼者側が運営者側にインテリアデザイン及びコーディネートをフォーマットに記載された複数の質問事項を含めて依頼するステップと、運営者側が所定のカラー理論に基づいて作成された依頼者側からの複数の質問事項に対してカラー診断を実行し、このカラー診断結果に基づいて依頼者側の好みの少なくとも一つの色彩パターンに分類するステップと、運営者側がインテリアデザインの対象となるインテリア空間を生成して依頼者側に転送し、このインテリア空間を依頼者側が画面表示するステップと、依頼者側が、表示画面から選択したインテリア空間に配置される少なくとも一つのインテリアエレメント及び、このインテリアエレメントごとの前記インテリア空間内における位置情報を生成するステップと、運営者側において、前記カラー診断結果による依頼者側の好みの色彩パターンを分類による依頼者側の色彩パターンに基づいて、依頼者側から転送されたインテリアエレメントの色彩を生成するステップと、次に、運営者側において、前記インテリア空間におけるインテリアデザインの３次元シミュレーションによる立体的画像を生成して依頼者側に転送し、かつ、依頼者側が画面表示するステップと、を有することを特徴としている。
【００２７】
また、前記インテリアエレメントのそれぞれに付与された識別符号に付随する関連データが、カラー診断によるパターン名、インテリアエレメント分類、素材名、品番、メーカ名、販売価格、仕入価格、及び特徴記載を含むことを特徴としている。
【００２８】
また、前記カラー診断は、運営者側が、複数の依頼者とのコンピュータ双方向通信で実施した結果の組み合わせに基づいて、好みの色彩パターンを分類することを特徴としている。
【００２９】
また、前記少なくとも一つの色彩パターンが、４パターンとしてのベージュ色を含む暖色系の濃色と淡色、及びグレー色を含む寒色系の濃色と淡色に分類され、かつ、この色彩パターンは、２組の前記４パターンのくみ合わせである１０パターンに細分類されることを特徴としている。
【００３０】
また、前記フォーマットは、所定のカラー理論を基礎に実務体験に基づくデータを加味して作成されることを特徴としている。
【００３１】
また、前記カラー理論が、イメージカラースケール、フォーシーズン理論又はマンセルのカラー理論に基づくものであることを特徴としている。
【００３２】
また、前記インテリア空間の表示は、デザインの対象となる部屋のサイズと視点方向を入力することによって表示装置の画面に表示され、かつ、インテリアエレメントの前記位置情報の入力が、前記表示装置の画面におけるカーソルのオブジェクト指定で入力されることを特徴としている。
【００３３】
また、前記色彩のコーディネートが、分類された色彩パターンごとに予め設定されたベースカラー、コーディネートカラー及びアクセントカラーのくみ合わせによって処理されることを特徴としている。
【００３４】
また、このインテリアデザインコーディネート双方向通信システムは、コンピュータ双方向通信によって運営サイト通信手段が提供するインテリアデザイン及びコーディネートを依頼者側通信手段が取得するものであり、前記依頼者側通信手段が、前記運営者側通信手段にインテリアデザイン及びコーディネートを依頼するとともに、前記運営者側通信手段からのインテリアデザイン及びコーディネートに関する質問に回答し、かつ、前記運営者側通信手段の個性診断に対してインテリアデザイン及びコーディネートに関する要求を転送し、前記運営者側通信手段が、前記依頼者側通信手段にインテリアデザイン及びコーディネートのための質問を実施し、かつ、前記依頼者側通信手段の質問の回答に基づいたインテリアデザイン及びコーディネートに関する個性診断を実行するとともに、個性診断における前記依頼者側通信手段の要求に対応した３次元シミュレーションによる立体的画像を含むインテリアデザイン及びコーディネート提示する、ことを特徴としている。
【００３５】
また、この通信システムは、前記運営者側通信手段に、質問、回答、個性診断、要求、インテリアデザイン及びコーディネート提示の処理を、トラッキング処理で自動的に実行するためのデータベース装置を備えることを特徴としている。
【００３６】
また、この通信システムは、前記質問、回答、個性診断、要求、インテリアデザイン及びコーディネート提示の少なくとも一つを、依頼者側通信手段及び／又は運営者側通信手段が実行する際に参照するインテリア用品提供情報をコンピュータ双方向通信のリンク接続によって提供するインテリア用品情報提供側通信手段を、さらにコンピュータ双方向通信の回線網に備えることを特徴としている。
【００３７】
また、この通信システムは、前記インテリアデザイン及びコーディネート提示における依頼者側通信手段、又は運営側通信手段からのインテリア用品の購入依頼を受ける用品提供側通信手段を、さらにコンピュータ双方向通信の回線網に備えることを特徴としている。
【００３８】
また、この通信システムは、前記インテリアデザイン及びコーディネート提示の後に、依頼者側通信手段、又は運営側通信手段からのコーデネーションによる施工依頼を受ける施工側通信手段を、さらにコンピュータ双方向通信の回線網に備えることを特徴としている。
【００３９】
また、この通信システムは、前記コンピュータ双方向通信の回線網に、さらにネット決済通信手段を備え、このネット決済通信手段と依頼者側通信手段との間において、（ａ）運営者側通信手段が依頼者側通信手段に対して実施する質問、個性診断、インテリアデザイン及びコーディネート提示の少なくとも一つが有料制の場合の代金決済、（ｂ）インテリアデザイン及びコーディネート提示にかかるインテリア用品を購入する際の代金決済、（ｃ）インテリアデザイン及びコーディネート提示にかかる施工依頼に基づく代金決済の少なくとも一つを実行することを特徴としている。
【００４０】
また、この通信システムは、前記コンピュータ双方向通信が、ＴＣＰ／ＩＰ環境下の回線網を通じて実行されることを特徴としている。
【００４１】
また、この通信システムは、前記依頼者側通信手段が、ＴＣＰ／ＩＰ環境下の回線網においてコンピュータ双方向通信を実行する携帯端末を含むことを特徴としている。
【００４２】
また、この通信システムは、前記携帯端末に撮影部を備え、この撮影部で撮影したインテリアデザイン及びコーディネートに関する撮影データを依頼者側通信手段から運営者側通信手段に転送することを特徴としている。
【００４３】
また、この通信システムは、前記運営者側通信手段が、ＴＣＰ／ＩＰ環境下の回線網においてコンピュータ双方向通信を実行するローカルエリアネットワーク構成を含む通信システムであることを特徴としている。
【００４４】
また、このプログラムは、依頼者側通信手段が運営者側通信手段にインテリアデザイン及びコーディネートを依頼するステップと、前記運営者側通信手段が前記依頼者側通信手段にインテリアデザイン及びコーディネートのための質問を実施するステップと、前記依頼者側通信手段が前記運営者側通信手段がインテリアデザイン及びコーディネートに関する質問に回答するステップと、前記運営者側通信手段が前記依頼者側通信手段の質問の回答に基づいたインテリアデザイン及びコーディネートに関する個性診断を実行するステップと、この前記運営者側通信手段の個性診断に対してインテリアデザイン及びコーディネートに関する前記依頼者側通信手段の要求を転送するステップと、前記運営者側通信手段が個性診断における前記依頼者側通信手段の要求に対応した３次元シミュレーションによる立体的画像を含むインテリアデザイン及びコーディネート提示を行うステップと、の制御をコンピュータが実行するものである。
【００４５】
また、このプログラムは、前記プログラムにおいて、
（１）運営者側通信手段が質問、回答、個性診断、要求、インテリアデザイン及びコーディネート提示の処理を、依頼者側通信手段とデータベーストラッキング処理で自動的に実行するステップと、
（２）質問、回答、個性診断、要求、インテリアデザイン及びコーディネート提示の少なくとも一つを、依頼者側通信手段及び／又は運営者側通信手段が実行する際に参照するインテリア用品提供の情報をコンピュータ双方向通信のリンク接続によって取得するステップと、
（３）インテリアデザイン及びコーディネート提示における依頼者側通信手段、又は運営側通信手段でのインテリア用品購入を依頼するステップと、
（４）インテリアデザイン及びコーディネート提示におけるの後に、依頼者側通信手段、又は運営側通信手段から施工を依頼するステップと、
（５）ネット決済通信手段において、
（ａ）運営者側通信手段が依頼者側通信手段に対して実施する質問、個性診断、インテリアデザイン及びコーディネート提示の少なくとも一つが有料制の場合の代金決済、
（ｂ）インテリアデザイン及びコーディネート提示にかかるインテリア用品を購入する際の代金決済、
（ｃ）インテリアデザイン及びコーディネート提示にかかる施工依頼に基づく代金決済の少なくとも一つのステップ制御をコンピュータが実行するものである。
【００４６】
このようなものでは、コンピュータ双方向通信を通じて、人のカラー理論による依頼者の好みのカラー診断に基づいた屋内装飾設計を３次元シミュレーションによって立体的な画像で表示している。換言すれば、専門家（インテリアコーデネータ）の蓄積知識をデータベースによってパターン化し、コンピュータ双方向通信を通じて依頼者が利用している。したがって、依頼者の個性に最適化（顧客重視）したインテリアデザイン及びインテリアコーディネートが地域や依頼者を限定することなく容易かつ確実に出来るようになる。
【００４７】
さらに、コンピュータ双方向通信を通じて、インテリアデザイン及びインテリアコーディネートにかかるインテリア用品の販売及び購入とともに、その代金決済が地域や依頼者を限定することなく容易かつ確実に出来るようになる。
【００４８】
以上の説明から明らかなように、このコンピュータ双方向通信によるインテリアデザインとコーディネートの提供取得方法及びその通信システム並びにプログラムによれば、コンピュータ双方向通信を通じて、人のカラー理論による依頼者の好みのカラー診断に基づいた屋内装飾設計を３次元シミュレーションによって立体的な画像で表示している。
【００４９】
この結果、依頼者の個性に最適化、すなわち、顧客重視によるインテリアデザイン及びインテリアコーディネートが地域や依頼者を限定することなく容易かつ確実に出来るという効果を有している。
【００５０】
さらに、コンピュータ双方向通信を通じて、インテリアデザイン及びインテリアコーディネートにかかるインテリア用品の販売及び購入とともに、その代金決済が地域や依頼者を限定することなく容易かつ確実に出来るという効果を有している。
【００５１】
また、従来技術として、特開２００２−０４１８８８号公報がある（特許文献２参照。）。
【００５２】
これは、インテリアイメージ及びライフスタイルの構築ができると共に、希望する商材、工事を見積・契約・発注・指示・確認できるインターネット・インテリアプランニングシステムを提供するものである。
【００５３】
希望する商材、工事を見積・契約・発注・指示・確認できるユーザー用端末と、販売施工業者情報の提供を行う会員用端末と、インテリアプランニングシステムのホームページにメーカーの登録および商品・商材のデータの提供を行うと共に、ユーザー用端末又は会員用端末からアクセスがあった時にはインテリアプランニングシステムの検索情報を提供するメーカーサーバと、会員用端末及びメーカーサーバから転送された登録情報及び商品・商材のデータを格納装置に蓄積し、ユーザー用端末又は会員用端末からアクセスがあった時にはインテリアプランニングシステムの検索情報を提供するインテリアカタログサーバを備える。
【００５４】
そこで、これは、インターネット上にて、独自のインテリアイメージ及びライフスタイルの構築ができると共に、希望する商材、工事をインターネット上にて見積・契約・発注・指示・確認できるインターネット・インテリアプランニングシステムを提供することを目的とする。
【００５５】
そのために、このインターネット・インテリアプランニングシステムは、通信手段を介してメーカーサーバにアクセスして、インテリアプランニングシステムのホームページから独自のインテリアイメージ及びライフスタイルの構築ができると共に、希望する商材、工事を見積・契約・発注・指示・確認できるユーザー用端末と、通信手段を介してメーカーサーバにアクセスして、インテリアプランニングシステムのホームページに登録業者会員の登録を行い、販売施工業者情報の提供を行う会員用端末と、会員用端末から転送された登録情報及びメーカー自社商品・商材のデータを格納装置に蓄積し、ユーザー用端末からアクセスがあった時にはインテリアプランニングシステムの検索情報を提供するメーカーサーバとを備えてなり、全体としてネットワークが構築されるものである。
【００５６】
さらに、このインターネット・インテリアプランニングシステムは、通信手段を介してインテリアカタログサーバにアクセスして、インテリアプランニングシステムのホームページから独自のインテリアイメージ及びライフスタイルの構築ができると共に、希望する商材、工事を見積・契約・発注・指示・確認できるユーザー用端末と、通信手段を介してインテリアカタログサーバにアクセスして、インテリアプランニングシステムのホームページに登録業者会員の登録を行い、販売施工業者情報の提供を行う会員用端末と、通信手段を介してインテリアカタログサーバにアクセスして、インテリアプランニングシステムのホームページにメーカーの登録を行い、商品・商材のデータの提供を行うメーカーサーバと、会員用端末及びメーカーサーバから転送された業者登録会員情報及びメーカーの商品・商材のデータを格納装置のホームページに蓄積し、ユーザー用端末又は会員用端末からアクセスがあった時にはインテリアプランニングシステムのホームページを提供するインテリアカタログサーバとを備えてなり、全体としてネットワークが構築される。
【００５７】
このインターネット・インテリアプランニングシステムは、このシステムを活用するユーザーは、全ての最新情報を入手でき、その情報を基にさらに自分なりのライフスタイルにあったインテリアをモニター画面上にて構築でき、それらの商品・商材の工事を発注入手できるようになり、その選択範囲は膨大な量であり、今まではごく一部の限られた見本帳の商材だけしか目にすることが出来なかったことからすれば、このシステムの活用によって今まで得ることの出来なかったインテリア及びライフスタイルの創造が可能となり、その選択肢を無限に広げることが出来る。各国、各地域の工事施工及びインテリア商材販売登録会員は、これから時代の進歩と共に広く普及するインターネットを介しての事業に参加することにより、今までよりさらに効率の良い事業展開が出来るようになる。各メーカーは、今までそれぞれの商材の見本帳を作るのに、膨大な費用を賭けてきたが、このシステムに参入することにより、その膨大な経費を格段に削減することが出来る。
【００５８】
また、従来技術として、特開平１０−０２１２９３号公報がある（特許文献３参照。）。
【００５９】
これは、顧客の嗜好に適合しつつ、全体として調和のとれたインテリアコーディネートを支援するための支援システムを提供するものである。
【００６０】
クラシック調／モダン調など、各インテリア構成要素を分類するために定義された所定のパラメータについて、特定のパラメータ値を指定するためのパラメータ指定手段を用い、顧客の嗜好を示すパラメータ値を指定する。
【００６１】
セット選択手段には、調和のとれた一群のインテリア構成要素からなるセットＳ１〜Ｓ１０が予め定義されており、個々のセットについて対応するパラメータ値  〜  が予め定められている。特定のパラメータ値が指定されると、これに対応するセットが選択され、画像提示手段において、選択されたセットに含まれるインテリア構成要素Ｅ１〜Ｅ１０の画像が、各セットごとに提示される。
【００６２】
壁材を選択したり、家具を選択したりするために、感覚上の概念を表現したマップを用いて顧客に提示する手法は既に利用されているが、実際にひとつの部屋を構成するインテリア構成要素は多岐にわたっている。
【００６３】
このため、個々の構成要素を１つずつ顧客に選択させるという作業は、多大な労力と時間を費やす作業になり、業者側の立場からみれば非常に非効率的な手法と言わざるを得ない。しかも、ある特定の感覚上の概念（たとえば、クラシック調）に基づいて個々の構成要素を選択していった場合、個々の構成要素をそれぞれ単品として把握すれば、いずれも顧客の嗜好に適合したものになっているにもかかわらず、インテリア全体としては調和に欠ける結果になることもある。
【００６４】
このような場合は、個々の構成要素を再選択する作業を行う必要が生じ、作業効率は極めて低くなる。
【００６５】
そこで、このインテリアコーディネートを支援するための支援システムは、顧客の嗜好に適合しつつ、全体として調和のとれたインテリアコーディネートを支援するための支援システムを提供することを目的とする。
【００６６】
（１）このインテリアコーディネートを支援するための支援システムの第１の特徴は、多数のインテリア構成要素の中から調和のとれた要素を組み合わせるコーディネート作業を支援するためのシステムにおいて、各インテリア構成要素を分類するために定義された所定のパラメータについて、特定のパラメータ値を指定するためのパラメータ指定手段と、調和のとれた一群のインテリア構成要素からなるセットを予め複数定義しておき、個々のセットについて対応するパラメータ値を予め定めておき、パラメータ指定手段で指定されたパラメータ値に対応するセットを選択するセット選択手段と、セット選択手段で選択されたセットに含まれるインテリア構成要素の画像を、各セットごとに提示する画像提示手段と、を設けるようにした点にある。
【００６７】
（２）このインテリアコーディネートを支援するための支援システムの第２の特徴は、上述の第１の特徴に係るシステムにおいて、パラメータ指定手段において、複数のパラメータのそれぞれについてのパラメータ値を指定するようにし、セット選択手段において、複数のパラメータ値のすべてに対応するセットを選択するようにした点にある。
【００６８】
（３）このインテリアコーディネートを支援するための支援システムの第３の特徴は、上述の第２の特徴に係るシステムにおいて、パラメータ指定手段において、２つのパラメータを用い、第１のパラメータを横軸に第２のパラメータを縦軸にそれぞれとることにより、２つのパラメータ値を座標値として用いる二次元のパラメータマップを用意し、このパラメータマップの所定位置に、その座標値によって示される２つのパラメータ値に対応する代表的なインテリア構成要素の画像を表示するようにした点にある。
【００６９】
（４）このインテリアコーディネートを支援するための支援システムの第４の特徴は、上述の第３の特徴に係るシステムにおいて、個々のセットに対応するパラメータ値を、二次元のパラメータマップ内に定義された閉領域に対応させて定めておき、パラメータ指定手段によりパラメータマップ内の所定位置が指定された場合には、この指定位置を含む閉領域に対応するセットがセット選択手段により選択されるようにした点にある。
【００７０】
（５）このインテリアコーディネートを支援するための支援システムの第５の特徴は、上述の第１〜第４の特徴に係るシステムにおいて、全インテリア構成要素を複数のグループに分け、個々のグループごとにそれぞれ独立してセットを定義し、同一グループ内のインテリア構成要素によって各セットが構成されるようにし、セット選択手段が、指定された特定のグループに所属するセットのみを選択する処理を行うように構成した点にある。
【００７１】
（６）このインテリアコーディネートを支援するための支援システムの第６の特徴は、上述の第５の特徴に係るシステムにおいて、画像提示手段が、これまでに指定された特定のグループに所属するセットについての画像と、新たに指定された特定のグループに所属するセットについての画像とを、重畳させて提示する機能を有するようにした点にある。
【００７２】
（７）このインテリアコーディネートを支援するための支援システムの第７の特徴は、上述の第５の特徴に係るシステムにおいて、第１のグループ内のセットと第２のグループ内のセットとの間に、組み合わせに関する適合条件を定めておき、セット選択手段が、第１のグループ内のセットを選択した後に第２のグループ内のセットを選択する処理を実行する際に、組み合わせに関する適合条件を考慮した選択を行うようにした点にある。
【００７３】
（８）このインテリアコーディネートを支援するための支援システムの第８の特徴は、上述の第５〜第７の特徴に係るシステムにおいて、複数のグループを、部屋の床・壁・天井を構成するインテリア構成要素からなる第１のグループと、建具・造作材を含むインテリア構成要素からなる第２のグループと、家具を含むインテリア構成要素からなる第３のグループと、の少なくとも３つのグループによって構成した点にある。
【００７４】
以上のとおり、このインテリアコーディネート支援システムを用いれば、顧客の嗜好に適合しつつ、全体として調和のとれたインテリアコーディネート作業を実現することが可能になる。
【００７５】
【特許文献１】特開２００１−３４４２９３号公報（段落［００１１］〜［００４３］、［０１６２］、および［０１６３］）
【特許文献２】特開２００２−０４１８８８号公報（段落［０００３］〜［０００６］，および［００２４］）
【特許文献３】特開平１０−０２１２９３号公報（段落［０００４］〜［００１３］，および［００４０］）
【発明の開示】
【発明が解決しようとする課題】
【００７６】
上述した従来のインテリアデザイン、インテリアコーディネート、およびインテリアプランニングシステムは、
第１の問題点は、特開２００１−３４４２９３号公報のコンピュータ双方向通信によるインテリアデザインとコーディネートの提供取得方法及びその通信システム並びにプログラムは、インテリアの購入を検討している人または依頼されたインテリアデザイン事務所と運営サイトのコンピュータとの間でカラー理論又はフォーシーズン理論と言ったに色に着眼を置いたものに基づいたアンケート及び個性診断のやり取りを行い、その結果からインテリアデザイン及びコーディネートの提示を行い顧客が判断し、プランを完成させる機能を有するものであり、従来のインテリアコーディネータのプランを経験と主観的感性として、システムに取り込んでいないことである。
【００７７】
また、第２の問題点は、特開２００１−３４４２９３号公報のコンピュータ双方向通信によるインテリアデザインとコーディネートの提供取得方法及びその通信システム並びにプログラムは、インテリアのアイテム情報に関してはその都度、リンク接続されている各メーカに参照に行く必要があることである。
【００７８】
また、第３の問題点は、特開２００２−０４１８８８号公報のインターネット・インテリアプランニングシステムは、インテリアの購入を検討している人とインターネットを介して対話形式で商品を絞り込んでいく購入支援機能と各インテリアメーカのホームページをリンクさせた紹介機能を有したもので、購入希望者は最初に希望アイテム、設置場所、好みのキーワード及び幾つかの質問事項から構成される購入希望情報を入力するだけでシステム側のインテリアプランを自動的に、検索し、選択することはできないないことである。
【００７９】
また、第４の問題点は、特開平１０−０２１２９３号公報のインターネットコーディネート支援システムは、顧客の嗜好を和／洋及びモダン／クラッシクの２つのテイストを５段階で表し、組合せにより１０通りのセットとよばれる枠組みの中に既存のインテリア製品を当てはめて、顧客が選んだテイストの組合せから調和の取れたインテリアコーディネイトを支援するもので、希望アイテム、設置場所、好みのキーワード及び幾つかの質問事項から構成される購入希望情報を入力することによりインテリアプランを自動検索しインテリアプランを自動選択することはできないことである。
（発明の目的）
そこで、本発明の目的は、多くの人が雑誌やテレビ、モデルルームなどで、こんな部屋に住んでみたい又はこんなアイテムを使ってみたいと考えたことがあると思いますが、現実的には幾つものインテリアショップを回ることが出来ずに、妥協してしまうことが多々あり、そうして揃えたインテリアは決して最初に思い描いた物ではなく、本発明は、誰もが手軽に気に入ったインテリアを購入する機会を提供することができる新しいビジネスの形になるもので、多くのインテリアコーディネータの感性で作成されたプランをシステムのデータベースに格納し、その中から顧客の希望に沿うものを自動的に提案でき、インテリアのアイテム情報に関してはその都度、リンク接続されている各メーカに参照に行く必要がないように事前にメーカがアイテムの登録を行いシステムが一元管理し、購入希望者は最初に希望アイテム、設置場所、好みのキーワード及び幾つかの質問事項から構成される購入希望情報を入力するだけでシステム側のインテリア選定装置が入力された情報をマトリックスに当てはめ該当するアイテムを多く用いてあるインテリアプランを自動検索し、インテリアプランを選択し、希望アイテム、設置場所、好みのキーワード及び幾つかの質問事項から構成される購入希望情報を入力するとシステム側のインテリア選定装置が入力された情報をマトリックスに当てはめ該当するアイテムを多く用いてあるインテリアプランを自動検索し、顧客の嗜好に合ったアイテムを多数用いたインテリアコーディネータが作成したプランを提供するインテリアプランニングシステムとインテリアプランニングの方法およびインテリアプランニングプログラムを提供することにある。
【課題を解決するための手段】
【００８０】
第１の発明のインテリアプランニングシステムは、インテリアプランニングシステムは、利用者端末、メーカ端末、インテリアコーディネータ端末、インテリアプランニング処理装置、金融機関、およびインターネットを備え、各々がインターネットを介して接続し、メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行うことを特徴とする。
【００８１】
また、第２の発明のインテリアプランニングの方法は、利用者端末、メーカ端末、インテリアコーディネータ端末、インテリアプランニング処理装置、金融機関、およびインターネットを備え、各々がインターネットを介して接続したインテリアプランニングシステムにおけるインテリアプランニングの方法であって、メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行うことを特徴とするインテリアプランニングの方法。
【００８２】
また、第３の発明のインテリアプランニングプログラムは、利用者端末、メーカ端末、インテリアコーディネータ端末、インテリアプランニング処理装置、金融機関、およびインターネットを備え、各々がインターネットを介して接続したインテリアプランニングシステムにおけるインテリアプランニング処理において、メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行う処理をコンピュータに実行させる。
【００８３】
また、第４の発明のインテリアプランニングシステムは、インテリアプランニングシステムは、利用者端末、メーカ端末、インテリアコーディネータ端末、インテリアプランニング処理装置、金融機関、およびインターネットを備え、各々がインターネットを介して接続し、
インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
制御処理部は、利用者端末からのインテリア商品購入に係わる希望項目入力表に基づいて利用者端末から入力された購入希望情報をインテリア選定処理部へ送り、インテリア選定処理部はインテリア商品購入に係わる希望項目入力表に基づいてインテリアコーディネータの作成したマトリックスを使用し、利用者の購入希望情報に合ったインテリア商品を算出、選定し、算出、選定された結果を基に希望情報との適合率の高い順に順位をつけて、複数の提案インテリアプランを利用者端末へ送付する機能を備え、
また、制御処理部は利用者端末からの購入要求に対して、利用者端末に対して確認通知および請求書の送付を行う機能と、該当メーカ端末に対して発注行為を行う機能を備え、
アイテムＤＢは、メーカ端末から登録されたアイテム情報が保存されているデータベースであり、
契約インテリアコーディネータＤＢはアイテムＤＢに登録されたアイテム情報の送付先となるインテリアコーディネータの情報を格納してあるデータベースであり、
また、報酬を支払う場合の各インテリアコーディネータの指定口座番号の情報も有し、
インテリアプランＤＢはインテリア選定処理部が制御処理部からの購入希望条件が提示された場合に検索するためのデータベースであり、アイテム、設置場所、好みのキーワードおよび前提条件から構成され、
インテリア選定処理部は制御処理部から送られる利用者端末からの購入希望情報から、マトリックスを使用し、利用者の嗜好をマトリックスに当てはめ、該当するアイテムを多く用いているインテリアプランをインテリアプランＤＢから抽出する機能を備え、
インテリアコーディネータ報酬処理部は利用者が実際にアイテムを購入した場合に、採用されたプランを作成したコーディネーに自動的に成約金額に応じた報酬として、予め契約インテリアコーディネータＤＢに登録されている金融機関に振り込まれる機能を備え、
メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行うことを特徴とする。
【００８４】
また、第５の発明のインテリアプランニングの方法は、利用者端末、メーカ端末、インテリアコーディネータ端末、インテリアプランニング処理装置、金融機関、およびインターネットを備え、各々がインターネットを介して接続したインテリアプランニングシステムにおけるインテリアプランニングの方法であって、
インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
制御処理部は、利用者端末からのインテリア商品購入に係わる希望項目入力表に基づいて利用者端末から入力された購入希望情報をインテリア選定処理部へ送り、インテリア選定処理部はインテリア商品購入に係わる希望項目入力表に基づいてインテリアコーディネータの作成したマトリックスを使用し、利用者の購入希望情報に合ったインテリア商品を算出、選定し、算出、選定された結果を基に希望情報との適合率の高い順に順位をつけて、複数の提案インテリアプランを利用者端末へ送付する機能を備え、
また、制御処理部は利用者端末からの購入要求に対して、利用者端末に対して確認通知および請求書の送付を行う機能と、該当メーカ端末に対して発注行為を行う機能を備え、
アイテムＤＢは、メーカ端末から登録されたアイテム情報が保存されているデータベースであり、
契約インテリアコーディネータＤＢはアイテムＤＢに登録されたアイテム情報の送付先となるインテリアコーディネータの情報を格納してあるデータベースであり、
また、報酬を支払う場合の各インテリアコーディネータの指定口座番号の情報も有し、
インテリアプランＤＢはインテリア選定処理部が制御処理部からの購入希望条件が提示された場合に検索するためのデータベースであり、アイテム、設置場所、好みのキーワードおよび前提条件から構成され、
インテリア選定処理部は制御処理部から送られる利用者端末からの購入希望情報から、マトリックスを使用し、利用者の嗜好をマトリックスに当てはめ、該当するアイテムを多く用いているインテリアプランをインテリアプランＤＢから抽出する機能を備え、
インテリアコーディネータ報酬処理部は利用者が実際にアイテムを購入した場合に、採用されたプランを作成したコーディネーに自動的に成約金額に応じた報酬として、予め契約インテリアコーディネータＤＢに登録されている金融機関に振り込まれる機能を備え、
メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行うことを特徴とするインテリアプランニングの方法。
【００８５】
また、第６の発明のインテリアプランニングプログラムは、利用者端末、メーカ端末、インテリアコーディネータ端末、インテリアプランニング処理装置、金融機関、およびインターネットを備え、各々がインターネットを介して接続したインテリアプランニングシステムにおけるインテリアプランニング処理において、
インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
制御処理部は、利用者端末からのインテリア商品購入に係わる希望項目入力表に基づいて利用者端末から入力された購入希望情報をインテリア選定処理部へ送り、インテリア選定処理部はインテリア商品購入に係わる希望項目入力表に基づいてインテリアコーディネータの作成したマトリックスを使用し、利用者の購入希望情報に合ったインテリア商品を算出、選定し、算出、選定された結果を基に希望情報との適合率の高い順に順位をつけて、複数の提案インテリアプランを利用者端末へ送付する機能を備え、
また、制御処理部は利用者端末からの購入要求に対して、利用者端末に対して確認通知および請求書の送付を行う機能と、該当メーカ端末に対して発注行為を行う機能を備え、
アイテムＤＢは、メーカ端末から登録されたアイテム情報が保存されているデータベースであり、
契約インテリアコーディネータＤＢはアイテムＤＢに登録されたアイテム情報の送付先となるインテリアコーディネータの情報を格納してあるデータベースであり、
また、報酬を支払う場合の各インテリアコーディネータの指定口座番号の情報も有し、
インテリアプランＤＢはインテリア選定処理部が制御処理部からの購入希望条件が提示された場合に検索するためのデータベースであり、アイテム、設置場所、好みのキーワードおよび前提条件から構成され、
インテリア選定処理部は制御処理部から送られる利用者端末からの購入希望情報から、マトリックスを使用し、利用者の嗜好をマトリックスに当てはめ、該当するアイテムを多く用いているインテリアプランをインテリアプランＤＢから抽出する機能を備え、
インテリアコーディネータ報酬処理部は利用者が実際にアイテムを購入した場合に、採用されたプランを作成したコーディネーに自動的に成約金額に応じた報酬として、予め契約インテリアコーディネータＤＢに登録されている金融機関に振り込まれる機能を備え、
メーカ端末はインテリア商品、製品を製造する各メーカが所有する端末であり、メーカ端末からインテリアプランニング処理装置にインテリア商品の登録および更新時の入力を行い、メーカの製造するインテリア商品をインテリアプランニング処理装置に登録し、
インテリアコーディネータ端末はインテリアコーディネータが所有する端末であり、インテリアプランニング処理装置に登録されたインテリア商品に関する提案インテリアプランを作成し、インテリアプランニング処理装置に提案インテリアプランとして登録し、
利用者端末はインテリア商品を購入する利用者が所有する端末であり、利用者端末からインテリア商品の購入希望が入力されることにより、インテリアプランニング処理装置は利用者端末からの購入希望要求に対して入力された条件および好みからインテリアコーディネータが作成してインテリアプランニング処理装置に格納されている複数の提案インテリアプランを抽出し、
利用者端末に抽出した複数の提案インテリアプランを返信し、
利用者端末は返信された複数の提案インテリアプランの中から購入希望に合った提案インテリアプランを選択し、
インテリアプランニング処理装置にインテリアプランを注文し、インテリア商品を購入し、
インテリアプランニング処理装置は採用された提案インテリアプランを作成したインテリアコーディネータ端末に対して金融機関を通し、報酬の支払いを行う処理をコンピュータに実行させる。
【００８６】
また、第７の発明のインテリアプランニングシステムは、インテリアプランニングシステムは、利用者端末、メーカ端末、インテリアコーディネータ端末、インテリアプランニング処理装置、金融機関、およびインターネットを備え、各々がインターネットを介して接続し、
インテリアプランニング処理装置は利用者端末からのインテリア商品の購入希望要求に対して提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録し、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末は振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込むことを特徴とする。
【００８７】
また、第８の発明のインテリアプランニングの方法は、利用者端末、メーカ端末、インテリアコーディネータ端末、インテリアプランニング処理装置、金融機関、およびインターネットを備え、各々がインターネットを介して接続したインテリアプランニングシステムにおけるインテリアプランニングの方法であって、インテリアプランニング処理装置は利用者端末からのインテリア商品の購入希望要求に対して提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録し、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末は振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込むことを特徴とするインテリアプランニングの方法。
【００８８】
また、第９の発明のインテリアプランニングプログラムは、利用者端末、メーカ端末、インテリアコーディネータ端末、インテリアプランニング処理装置、金融機関、およびインターネットを備え、各々がインターネットを介して接続したインテリアプランニングシステムにおけるインテリアプランニング処理において、インテリアプランニング処理装置は利用者端末からのインテリア商品の購入希望要求に対して提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録し、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末は振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込む処理をコンピュータに実行させる。
【００８９】
また、第１０の発明のインテリアプランニングシステムは、インテリアプランニングシステムは、利用者端末、メーカ端末、インテリアコーディネータ端末、インテリアプランニング処理装置、金融機関、およびインターネットを備え、各々がインターネットを介して接続し、
インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録され、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用される、必要なアイテムを選択するためのアイテム項目数と、アイテムを設置する部屋を選択するための部屋種別項目数と、該当する人数を選択するための人数項目数と、そして住まいの家種別項目数と、の４種別の項目数の内の単独または複数組み合わせから展開されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込むことを特徴とする。
【００９０】
また、第１１の発明のインテリアプランニングの方法は、利用者端末、メーカ端末、インテリアコーディネータ端末、インテリアプランニング処理装置、金融機関、およびインターネットを備え、各々がインターネットを介して接続したインテリアプランニングシステムにおけるインテリアプランニングの方法であって、インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録され、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用される、必要なアイテムを選択するためのアイテム項目数と、アイテムを設置する部屋を選択するための部屋種別項目数と、該当する人数を選択するための人数項目数と、そして住まいの家種別項目数と、の４種別の項目数の内の単独または複数組み合わせから展開されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込むことを特徴とするインテリアプランニングの方法。
【００９１】
また、第１２の発明のインテリアプランニングプログラムは、利用者端末、メーカ端末、インテリアコーディネータ端末、インテリアプランニング処理装置、金融機関、およびインターネットを備え、各々がインターネットを介して接続したインテリアプランニングシステムにおけるインテリアプランニング処理において、インテリアプランニング処理装置は利用者端末からのインテリア商品の購入希望要求に対して入力された条件および好みから自動的に提案インテリアプランを構築し、利用者端末に提案インテリアプランを返信する機能と採用された提案インテリアプランを作成したインテリアコーディネータに対して報酬を支払う機能を有した情報処理装置であり、
制御処理部、アイテムＤＢ、契約インテリアコーディネータＤＢ、インテリアプランＤＢ、インテリア選定処理部、およびインテリアコーディネータ報酬処理部より、構成し、
メーカ端末からインターネットを介してメーカが製造しインテリアプランニングシステムで販売される商品情報がインテリアプランニング処理装置に送付され、送付された商品情報はアイテムＤＢにインテリア商品として登録され、
インテリアプランニング処理装置の制御処理部はアイテムＤＢに登録された新たなアイテム情報を契約インテリアコーディネータＤＢに登録されているインテリアコーディネータの送付先のインテリアコーディネータ端末に自動的にインターネットを介して、配信し、
インテリアコーディネータは送付された商品情報を基にインテリアコーディネータがインテリアプランを作成し、作成されたインテリアプランがインテリアコーディネータ端末からインターネットを介してインテリアプランニング処理装置に送付し、
送付されたインテリアコーディネータが作成したインテリアプランはインテリアプランＤＢにインテリアプランとして登録され、
インテリア商品を購入しようとしている利用者は利用者端末からインターネットを介してインテリアプランニング処理装置にアクセスし、インテリアプランニング処理装置にインテリア商品の購入の要求を申し込むことにより、インテリアプランニング処理装置はインテリア商品購入に係わる希望項目入力表を利用者端末に送信することにより、利用者は利用者端末からインテリア商品購入に係わる希望項目入力表の入力項目の該当希望項目にチェックを入れ、購入希望を指示することにより、利用者の購入希望がインテリアプランニング処理装置に送付され、
利用者端末からインターネットを介して購入希望情報を受け取ったインテリアプランニング処理装置は、制御処理部を経由してインテリア選定処理部へ送り、購入希望情報をインテリア選定に使用される、必要なアイテムを選択するためのアイテム項目数と、アイテムを設置する部屋を選択するための部屋種別項目数と、該当する人数を選択するための人数項目数と、そして住まいの家種別項目数と、の４種別の項目数の内の単独または複数組み合わせから展開されるマトリックスに当てはめ、該当するアイテムを多く用いているインテリアプランをインテリアプランＤＢより抽出し制御処理部へ返し、制御処理部は購入希望情報との適合率の高い順に順位を決め、上位の複数のインテリアプランを提案インテリアプランとしてインターネットを介して利用者端末に返信し、
利用者端末は送付された複数のインテリアプランの中から気に入ったインテリアプランを選択し、インテリアプランニング処理装置は確定処理としてインターネットを介して利用者端末に対して注文確定通知を送付し、メーカ端末に対してインターネットを介してアイテムの発注処理を行い、メーカ端末は受注処理を行い、インテリアプランニング処理装置はインターネットを介して利用者端末に対して請求処理を行い、利用者端末振り込み処理を行い、インテリアプランニング処理装置は購入されたインテリアプランを作成した契約インテリアコーディネータに対して報酬を支払うためのコーディネータ報酬処理を行い、金融機関はインテリアプランニング処理装置からインターネットを介してのコーディネータへの振り込み依頼を受け、報酬を振込む処理をコンピュータに実行させる。
【発明の効果】
【００９２】
以上説明したように、本発明のインテリアプランニングシステムとインテリアプランニングの方法およびインテリアプランニングプログラムは、
第１の効果は、利用者は憧れていたインテリアを自宅に居ながら購入することが出来る。
【００９３】
その理由は、自己の所有する利用者端末を使用してインターネットを介してインテリアプランニングシステムに購入インテリア商品の好みと条件を送信し、インテリアプランニングシステムが好みと条件に合うインテリアプラン提案し、画像とし得られることにより実際のインテリア商品を現場で選択し、購入することと同じ感覚でインテリア商品購入ができるからである。
【００９４】
第２の効果は、メーカは店舗を構えなくとも多くの人に商品を見ていただくことが出来る。
【００９５】
その理由は、メーカは自分製造した製品、商品をメーカの所有するメーカ端末を使用してインターネットを介してインテリアプランニングシステムに登録し、インテリアプランニングシステムがインターネットを介して公開し、販売できるからである。
【００９６】
第３の効果は、家具の製作を細々と行っている個人の方々にも、販売するための場所を提供することが出来る。
【００９７】
その理由は、個人の方々は自分製造した製品、商品をメ個人の方々の所有する個人の方々の端末を使用してインターネットを介してインテリアプランニングシステムに登録し、インテリアプランニングシステムがインターネットを介して公開し、販売できるからである。
【００９８】
第４の効果は、インテリアコーディネータは従来の限られた場所での仕事から、多くの人を対象にして自分の感性を表現出来る。
【００９９】
その理由は、個人の方々は自分製造した製品、商品をメ個人の方々の所有する個人の方々の端末を使用してインターネットを介してインテリアプランニングシステムからインテリアコーディネート作成契約を結ぶことで、自分のインテリアコーディネータ端末からインテリアプランニングシステムにコーディネート作品を登録し、インテリアプランニングシステムがインターネットを介して公開し、多くの人を対象にして、自分の感性を込めて作成した作品を表現し、販売できるからである。
【０１００】
第５の効果は、このインテリアプランニングシステムの中で競争原理が働き、より良いもがより安く提供されることが予測され、利用者がその恩恵を享受できる。
【０１０１】
その理由は、インテリアプランニングシステムがインターネットを介して広く公開され、多くの、メーカ、インテリアコーディネータ、そして利用者を対象にして、販売できるからである。
【発明を実施するための最良の形態】
【０１０２】
次に、本発明を実施するための最良の形態について図面を参照して詳細に説明する。
【０１０３】
図１は本発明のインテリアプランニングシステムとインテリアプランニングの方法およびインテリアプランニングプログラムの一実施の形態を示す構成図である。
【０１０４】
図１に示すように、本発明のインテリアプランニングシステムは、利用者端末１０、メーカ端末２０、インテリアコーディネータ端末３０、インテリアプランニング処理装置４０、および金融機関５０が、各々インターネット１００を介して接続されている構成になっている。
【０１０５】
図２は本発明のインテリアプランニングシステムとインテリアプランニングの方法およびインテリアプランニングプログラムの一実施の形態の利用者端末の構成を示す構成図である。
【０１０６】
利用者端末１０は図２に示すように入力処理部１０１と出力処理部１０２から構成されており、パソコン等の情報処理装置である。
【０１０７】
利用者がインターネット１００を介してインテリアプランニング処理装置４０と購入希望のインテリア商品のアイテムと好みを入力する機能と購入時の確認を行う目的で使用される端末である。
【０１０８】
表１はインテリア商品購入に係わる希望項目入力表を表すもので利用者がインターネット１００を介して利用者端末１０からインテリア商品の購入希望を入力しインテリア商品を選択するための希望項目入力内容の一例を示すものである。
【０１０９】
表１  インテリア商品購入に係わる希望項目入力表
【０１１０】
【表１】
2005190000.tif 000003
【０１１１】
図３は本発明のインテリアプランニングシステムとインテリアプランニングの方法およびインテリアプランニングプログラムの一実施の形態のメーカ端末の構成を示す構成図である。
【０１１２】
メーカ端末２０はパソコン等の情報処理装置であり、インテリア商品、製品を製造する各メーカが有する端末であり、図３に示すように登録処理部２０１と受注処理部２０２より構成されている。
【０１１３】
登録処理部２０１は、インテリアプランニング処理装置４０のアイテムデータベース４０２（アイテムＤＢ４０２でありＤＢはデータベースの略号であり本書類で使用されるＤＢはデータベースを表すものである）へのインターネット１００を介して商品の登録および更新処理が主な機能である。
【０１１４】
表２はインテリア商品アイテム登録表を表すものでインテリア商品、製品を製造しているメーカがインターネット１００を介してメーカ端末２０からインテリアプランニング処理装置４０のアイテムＤＢ４０２にインテリア商品の登録および更新時の入力内容についての一例を示すものである。
【０１１５】
表２  インテリア商品アイテム登録表
【０１１６】
【表２】
2005190000.tif 000004
【０１１７】
受注処理部２０２はインテリアプランニング処理装置４０からの確定通知を受けて受注処理を行うとともに、指定された場所への配送指示を行う機能を有している。
【０１１８】
図４は本発明のインテリアプランニングシステムとインテリアプランニングの方法およびインテリアプランニングプログラムの一実施の形態のインテリアコーディネータ端末の構成を示す構成図である。
【０１１９】
インテリアコーディネータ端末３０は、契約している各インテリアコーディネータが有する端末であり、パソコン等の情報処理装置である。
【０１２０】
図４に示すように入力処理部３０１と出力処理部３０２より構成されている。
【０１２１】
入力処理部３０１はインテリアプランニング処理装置４０のアイテムＤＢ４０２より、自動的に送信されてくる登録されたアイテム情報を受け取ることが主な機能である。
【０１２２】
出力装置３０２は受け取ったアイテム情報を基に様々なインテリア商品に係わるコーディネートプランを作成し、インテリアプランニング処理装置４０のインテリアプランＤＢ４０４への登録および更新処理を主な機能とする。
【０１２３】
図５は本発明のインテリアプランニングシステムとインテリアプランニングの方法およびインテリアプランニングプログラムの一実施の形態のインテリアプランニング処理装置の構成を示す構成図である。
【０１２４】
インテリアプランニング処理装置４０は利用者端末１０からの購入希望要求に対して入力された条件および好みから自動的に提案インテリアプランを構築し、利用者端末１０に提案インテリアプランを返信する機能と採用された提案インテリアプランを作成したインテリアコーディネータに対して報酬を支払う機能を有した情報処理装置である。
【０１２５】
図５に示すようにインテリアプランニング処理装置４０は制御処理部４０１、アイテムＤＢ４０２、契約インテリアコーディネータＤＢ４０３、インテリアプランＤＢ４０４、インテリア選定処理部４０５、およびインテリアコーディネータ報酬処理部４０６より、構成されている。
【０１２６】
図８は本発明のインテリアプランニングシステムとインテリアプランニングの方法およびインテリアプランニングプログラムの一実施の形態のインテリアプランニング処理装置のインテリア選定処理部のインテリア選定に使用されるマトリックス図である。
【０１２７】
制御処理部４０１は、利用者端末１０からのインテリア商品購入に係わる希望項目入力表に基づいて利用者端末１０から入力された購入希望情報をインテリア選定処理部４０５へ送り、インテリア選定処理部４０５はインテリア商品購入に係わる希望項目入力表に基づいて図８に示すマトリックス図を使用し、利用者の購入希望情報に合ったインテリア商品を算出、選定し、算出、選定された結果を基に希望情報との適合率の高い順に順位をつけて、表３に示すような提案インテリアプラン画面で表される提案インテリアプランの上位５つの提案インテリアプランを利用者端末１０へ送付する機能を有する。
【０１２８】
表３は本発明のインテリアプランニングシステムとインテリアプランニングの方法およびインテリアプランニングプログラムの一実施の形態のインテリアプランニング処理装置から利用者端末に送付され利用者端末に表示される提案インテリアプランを示す提案インテリアプランを表す表である。
【０１２９】
表３  提案インテリアプラン表
【０１３０】
【表３】
2005190000.tif 000005
【０１３１】
また、制御処理部４０１は利用者端末１０からの購入要求に対して、利用者端末１０に対して確認通知および請求書の送付を行う機能を有しており、更に該当メーカ端末２０に対して発注行ためを行う機能も有している。
【０１３２】
アイテムＤＢ４０２は、メーカ端末２０から登録されたアイテム（商品、製品）情報が保存されているデータベースである。このアイテム情報は表２のインテリア商品アイテム登録表に示すようなメーカコード、製品情報、素材、色、サイズ、価格、画像データで構成されている。
【０１３３】
契約インテリアコーディネータＤＢ４０３はアイテムＤＢ４０２に登録されたアイテム情報の送付先となるインテリアコーディネータの情報を格納してあるデータベースである。
【０１３４】
また、報酬を支払う場合の各インテリアコーディネータの指定口座番号の情報も有している。
【０１３５】
インテリアプランＤＢ４０４はインテリア選定処理部４０５が制御処理部４０１からの購入希望条件が提示された場合に検索するためのデータベースです。アイテム、設置場所、好みのキーワードおよび前提条件から構成されている。
【０１３６】
インテリア選定処理部４０５は制御処理部４０１から送られる利用者端末１０からの購入希望情報から、図８に示すマトリックス図を使用し、その人の嗜好をマトリックスに当てはめ、該当するアイテムを多く用いているインテリアプランをインテリアプランＤＢ４０４から抽出する機能を有する。
【０１３７】
インテリアコーディネータ報酬処理部４０６は利用者が実際にアイテムを購入した場合に、採用されたプランを作成したコーディネーに自動的に成約金額の２パーセントが報酬として、予め契約インテリアコーディネータＤＢ４０３に登録されている金融機関に振り込まれる機能を有している。
【０１３８】
金融機関５０はインテリアコーディネータ報酬処理部４０６からの要請により、指定されたインテリアコーディネータの口座に報酬を振り込む機能を有している。
【０１３９】
次に、本発明を実施するための最良の形態の動作について図面を参照して説明する。
【０１４０】
次に図１〜図９、および表１、表２、および表３を参照して本発明の動作を詳細に説明する。
【０１４１】
図６および図７は本発明のインテリアプランニングシステムとインテリアプランニングの方法およびインテリアプランニングプログラムの一実施の形態の動作を示す流れ図である。
【０１４２】
メーカ端末２０からインターネット１００を介してメーカが製造しインテリアプランニングシステムで販売される商品情報がインテリアプランニング処理装置４０に送付される。送付される内容は表２に示ようなものである（ステップＳ１）。
【０１４３】
送付された商品情報はアイテムＤＢ４０２にインテリア商品として登録される（ステップＳ２）。
【０１４４】
インテリアプランニング処理装置４０の制御処理部４０１はアイテムＤＢ４０２に登録された新たなアイテム情報を契約インテリアコーディネータＤＢ４０３に登録されているインテリアコーディネータの送付先のインテリアコーディネータ端末３０に自動的にインターネット１００を介して、配信する（ステップＳ３）。
【０１４５】
インテリアコーディネータは送付された商品情報を基にインテリアコーディネータがインテリアプランを作成し、作成されたインテリアプランがインテリアコーディネータ端末３０からインターネット１００を介してインテリアプランニング処理装置４０に送付される（ステップＳ４）。
【０１４６】
送付されたインテリアコーディネータが作成したインテリアプランはインテリアプランＤＢ４０４にインテリアプランとして登録される（ステップＳ５）。
【０１４７】
つぎに、インテリア商品を購入しようとしている利用者は利用者端末１０からインターネット１００を介してインテリアプランニング処理装置４０にアクセスし、インテリアプランニング処理装置４０にインテリア商品の購入の要求を申し込むことにより、インテリアプランニング処理装置４０は表１のインテリア商品購入に係わる希望項目入力表を利用者端末１０に送信することにより、利用者は利用者端末１０から表１のインテリア商品購入に係わる希望項目入力表の入力項目の該当希望項目にチェックを入れ（例えば、［１．必要なアイテムを選択して下さい。］のテーブル、［２．アイテムを設置する部屋を選択して下さい。］のダイニイング、［３．下記のキーワードからお好みのものを選択して下さい。］のモダンで合板、［４．該当する人数を選択して下さい。］の三人、［５．お住まいはどれに該当しますか？］の一軒家木造にチェックを入れる）、購入希望を指示することにより、表３に基づく利用者の購入希望がインテリアプランニング処理装置４０に送付される（ステップＳ６）。
【０１４８】
利用者端末１０からインターネット１００を介して購入希望情報を受け取ったインテリアプランニング処理装置４０は、制御処理部４０１を経由してインテリア選定処理部４０５へ送り、そこで購入希望情報をインテリア選定に使用されるマトリックス図（図８および図９参照）に当てはめ、該当するアイテムを多く用いているインテリアプランをインテリアプランＤＢ４０４より抽出し制御処理部４０１へ返し、制御処理部４０１は購入希望情報との適合率の高い順に順位を決め、上位５つのインテリアプランを提案インテリアプランとしてインターネット１００を介して利用者端末１０に返信する（ステップＳ７）。
【０１４９】
ここでの提案インテリアプランの抽出処理を図８を参照して詳細に説明する。
【０１５０】
図８のインテリア選定に使用されるマトリックス図は、表１のインテリア商品購入に係わる希望項目入力表に対応して、先ずマトリックスの横軸方向のアイウエオカキク列の区分け領域には表１の［３．下記のキーワードからお好みのものを選択して下さい。］の中の［ア：モダン］、［イ：シンプル］、［ウ：エレガンス］、［エ：＊＊＊＊］、［オ：＊＊＊］、［カ：＊＊＊＊］、……………が対応した形で設定されている、また、マトリックスの縦軸方向のａｂｃｄｅｆｇ列の区分け領域には表１の［３．下記のキーワードからお好みのものを選択して下さい。］の中の［ａ：合板］、［ｂ：木］、［ｃ：ムク材］、［ｄ：赤系］、［ｅ：青系］、［ｆ：茶系］、……………が対応した形で設定されている。
【０１５１】
以上のようなマトリックスのシートがインテリアプランＤＢ４０４に多数格納されている。
【０１５２】
マトリックスのシートは表１に示す、［１．必要なアイテムを選択して下さい。］のアイテム項目数の２５と、［２．アイテムを設置する部屋を選択して下さい。］の部屋種別項目数の１５と、［４．該当する人数を選択して下さい。］の人数項目数の５と、そして［５．お住まいはどれに該当しますか？］の家種別項目数の４からなる
最大：２５×１５×５×４＝７５００枚のマトリックスのシートがマトリックスシートＮＯ．１〜ＮＯ．ｎのような状態でインテリアコーディネータによりコーディネトされインテリアプランＤＢ４０４に格納されているのである。
【０１５３】
マトリックスの各シートには図８の登録インテリアグループＩＧ１、ＩＧ２、ＩＧ３、ＩＧ４、………ＩＧｘ、ＩＧｙの領域でマトリックスに、コーディネータにより各登録インテリアグループとして、購入希望情報との適合率の高い順に順位を付け、インテリアプランＤＢ４０４に格納されているのである。
【０１５４】
以上のような図８の示すマトリックス図を使用して、利用者端末１０からインテリア商品の購入の要求申し込みの、［１．必要なアイテムを選択して下さい。］のテーブル、［２．アイテムを設置する部屋を選択して下さい。］のダイニイング、［３．下記のキーワードからお好みのものを選択して下さい。］のモダンで合板、［４．該当する人数を選択して下さい。］の三人、［５．お住まいはどれに該当しますか？］の一軒家木造にチェックを入れられた購入希望をインテリアプランニング処理装置４０が受け取ると、購入希望情報を受け取ったインテリアプランニング処理装置４０は、制御処理部４０１を経由してインテリア選定処理部４０５へ送り、購入希望のインテリアプランをインテリアプランＤＢ４０４より［３．下記のキーワードからお好みのものを選択して下さい。］のモダンでムク材、［４．該当する人数を選択して下さい。］の三人、［５．お住まいはどれに該当しますか？］の一軒家木造に対応する図９に示すマトリックスシートＮＯ．ｍから該当のアイテムのインテリア商品に関する提案インテリアプランが、購入希望情報との適合率の高い順で抽出されるのである。
【０１５５】
図９は本発明のインテリアプランニングシステムとインテリアプランニングの方法およびインテリアプランニングプログラムの一実施の形態のインテリアプランニング処理装置のインテリア選定処理部のインテリア選定に実際に使用されたマトリックス図の特定のマトリックスシートを表すマトリックス図である。
【０１５６】
マトリックスシートＮＯ．ｍ場合は、適合率の最も高い順のものはＩＧ１の登録インテリアグループ１のＳテーブルが抽出されることを示している。
【０１５７】
以上のようにインテリア商品を購入しようとしている利用者は利用者端末１０からインターネット１００を介してインテリアプランニング処理装置４０にアクセスし、インテリアプランニング処理装置４０にインテリア商品の購入の要求を申し込むことにより、インテリアプランニング処理装置４０は表１のインテリア商品購入に係わる希望項目入力表を利用者端末１０に送信することにより、利用者は利用者端末１０から表１のインテリア商品購入に係わる希望項目入力表の入力項目の該当希望項目にチェックを入れ、購入希望を指示することにより、表３に基づく利用者の購入希望がインテリアプランニング処理装置４０に送付され提案インテリアプランが抽出されると、制御処理部４０１は上位５つのインテリアプランをインターネット１００を介して利用者端末１０に返信するのである（ステップＳ７）。
【０１５８】
利用者端末１０に返信する提案インテリアプランは表３の提案インテリアプラン表に示すように１つのインテリアプラン毎に利用者端末１０のディスプイ画面に表示される。
【０１５９】
５つの提案インテリアプランの切り替えは、画面下部にある、［次のプランへ］、かそれとも、「前のプランへ］の指示ボタンにより切り替える。
【０１６０】
表３の提案インテリアプラン表の画面の構成はプランナンバーがプラン１として表示され、インテリアプラン画像が表示される、例えば購入希望情報が［１．必要なアイテムを選択して下さい。］のテーブル、［２．アイテムを設置する部屋を選択して下さい。］のダイニイング、［３．下記のキーワードからお好みのものを選択して下さい。］のモダンで合板、［４．該当する人数を選択して下さい。］の三人、［５．お住まいはどれに該当しますか？］の一軒家木造の購入希望条件にマッチした、先の図９のマトリクスシートＮＯ．ｍを使用して抽出されたインテリアプラン画像が表示される。
【０１６１】
インテリアプラン画像のアイテム詳細データとして商品名のＳテーブル、製造メーカ名の東日本家具製造株式会社、素材の合板、色の白木、サイズのＷ１８００×Ｈ７５０×Ｄ９００ｍｍ、そして価格￥３６，０００円が提案インテリアプラン画像データに付随して表示される。
【０１６２】
表３の内容の提案インテリアプランを受け取った利用者端末１０には３つの選択肢がある。
【０１６３】
１つ目は購入を止める場合である。
【０１６４】
この場合は利用者端末１０に送付されたインテリアプラン画面（表３）にある処理取消ボタンを選択することにより（ステップＳ８のＮＯ）、処理終了（ステップＳ１０）がインターネット１００を介してインテリアプランニング処理装置４０に通知され、処理終了を確定する（ステップＳ１１）。
【０１６５】
２つ目は購入希望情報を変更する場合である。
【０１６６】
この場合は利用者端末１０に送付されたインテリアプラン画面（表３）ある再入力ボタンを選択することにより、条件再入力（ステップＳ９）が実行される。
【０１６７】
この処理により、再びステップＳ７からの処理となる。
【０１６８】
３つ目は購入する場合である。
【０１６９】
この場合は利用者端末１０に送付されたインテリアプラン画面（表３）５つの中から気に入った画面上の購入ボタンを選択することにより（ステップＳ８のＹＥＳ）、インターネット１００を介してインテリアプランニング処理装置４０に通知される。
【０１７０】
通知されたインテリアプランニング処理装置４０は確定処理（ステップＳ１１）としてインターネット１００を介して利用者端末１０に対して注文確定通知を送付し、注文を受けた内容を通知する（ステップＳ１２）とともにメーカ端末２０に対してインターネット１００を介してアイテムの発注処理を行う。
【０１７１】
メーカ端末３０はそれを受けて受注処理を行う（ステップＳ１３）。
【０１７２】
引き続きインテリアプランニング処理装置４０はインターネット１００を介して利用者端末１０に対して請求処理を行う（ステップＳ１４）。
【０１７３】
利用者端末１０は指定された幾つかの方法の中から支払い方法を選択し、振り込み処理を行う（ステップＳ１５）。
【０１７４】
インテリアプランニング処理装置４０は購入されたインテリアプランを作成した契約インテリアコーディネータに対して報酬を支払うためのコーディネータ報酬処理を行う（ステップＳ１６）。
【０１７５】
金融機関５０は契約インテリアコーディネータが口座を保有する金融機関であり、インテリアプランニング処理装置４０からインターネット１００を介してのコーディネータへの振り込み依頼を受け（ステップＳ１７）、前記インテリアコーディネータの口座へ報酬を振込む（ステップＳ１８）。
【図面の簡単な説明】
【０１７６】
【図１】本発明のインテリアプランニングシステムとインテリアプランニングの方法およびインテリアプランニングプログラムの一実施の形態を示す構成図である。
【図２】本発明のインテリアプランニングシステムとインテリアプランニングの方法およびインテリアプランニングプログラムの一実施の形態の利用者端末の構成を示す構成図である。
【図３】本発明のインテリアプランニングシステムとインテリアプランニングの方法およびインテリアプランニングプログラムの一実施の形態のメーカ端末の構成を示す構成図である。
【図４】本発明のインテリアプランニングシステムとインテリアプランニングの方法およびインテリアプランニングプログラムの一実施の形態のインテリアコーディネータ端末の構成を示す構成図である。
【図５】本発明のインテリアプランニングシステムとインテリアプランニングの方法およびインテリアプランニングプログラムの一実施の形態のインテリアプランニング処理装置の構成を示す構成図である。
【図６】本発明のインテリアプランニングシステムとインテリアプランニングの方法およびインテリアプランニングプログラムの一実施の形態の動作を示す流れ図である。
【図７】本発明のインテリアプランニングシステムとインテリアプランニングの方法およびインテリアプランニングプログラムの一実施の形態の動作を示す流れ図である。
【図８】本発明のインテリアプランニングシステムとインテリアプランニングの方法およびインテリアプランニングプログラムの一実施の形態のインテリアプランニング処理装置のインテリア選定処理部のインテリア選定に使用されるマトリックス図である。
【図９】本発明のインテリアプランニングシステムとインテリアプランニングの方法およびインテリアプランニングプログラムの一実施の形態のインテリアプランニング処理装置のインテリア選定処理部のインテリア選定に実際に使用されたマトリックス図の特定のマトリックスシートを表すマトリックス図である。
【符号の説明】
【０１７７】
１０    利用者端末
２０    メーカ端末
３０    インテリアコーディネータ端末
４０    インテリアプランニング処理装置
５０    金融機関
１００    インターネット
１０１    入力処理部
１０２    出力処理部
２０１    登録処理部
２０２    受注処理部
３０１    入力処理部
３０２    出力処理部
４０１    制御処理部
４０２    アイテムＤＢ
４０３    契約インテリアコーディネータＤＢ
４０４    インテリアプランＤＢ
４０５    インテリア選定処理部
４０６    インテリアコーディネータ報酬処理部
【図１】
2005190000.tif 000006
【図２】
2005190000.tif 000007
【図３】
2005190000.tif 000008
【図４】
2005190000.tif 000009
【図５】
2005190000.tif 000010
【図６】
2005190000.tif 000011
【図７】
2005190000.tif 000012
【図８】
2005190000.tif 000013
【図９】
2005190000.tif 000014